【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】
液晶層を狭持して対向する第１の基板と第２の基板のうち、
前記第１の基板は透明性導電膜からなる対向電極を備え、
前記第２の基板は直交して設けられたゲート配線及びソース配線と、
前記ゲート配線及び前記ソース配線の交差点に設けられたスイッチング素子と、
該スイッチング素子に接続され、前記対向電極に対向する画素電極と、
前記対向電極と電気的に接続されたトランスファー電極を備える液晶表示装置であって、
共通電圧及び走査電圧を生成する電圧生成手段と、
前記走査電圧と走査信号を入力して、ゲート走査電圧を前記ゲート配線に供給する複数の駆動回路をさらに備えるとともに、
当該駆動回路の表示領域側の辺に各々のゲート配線に対応して列状に配置され、前記ゲート走査電圧を出力する第１のＬＣＤ用出力端子と、
前記駆動回路において前記第１のＬＣＤ用出力端子が配置された辺とは異なる辺に配置された前記走査電圧を入力する第１の入力端子と、
該第１の入力端子の端部に設けられ、前記共通電圧を入力する第２の入力端子と、
異なる駆動回路に前記走査電圧を出力する第１の駆動回路用出力端子と、
該第１の駆動回路用出力端子の端部に設けられ、前記第２の入力端子と電気的に接続された第２の駆動回路用出力端子と、
前記第１のＬＣＤ用出力端子の端部に設けられ、前記トランスファー電極に前記共通電圧を出力する第２のＬＣＤ用出力端子と、を備え、
前記第２の入力端子と前記第２のＬＣＤ用出力端子、及び前記第２の駆動回路用出力端子と前記第２のＬＣＤ用出力端子を電気的に接続することにより前記トランスファー電極に前記共通電圧を供給する液晶表示装置。
【請求項２】
液晶層を挟持して対向する第１の基板と第２の基板のうち、
前記第１の基板は透明性導電膜からなる対向電極を備え、
前記第２の基板は直交して設けられたゲート配線及びソース配線と、
前記ゲート配線及び前記ソース配線の交差点に設けられたスイッチング素子と、
該スイッチング素子に接続され、前記対向電極に対向する画素電極と、
表示領域の周辺端部に配置されたダミー配線を備える液晶表示装置であって、
共通電圧及び走査電圧を生成する電圧生成手段と、
前記走査電圧と走査信号を入力して、ゲート走査電圧を前記ゲート配線に供給する複数の駆動回路をさらに備えるとともに、
当該駆動回路の表示領域側の辺に各々のゲート配線に対応して列状に配置され、前記ゲート走査電圧を出力する第１のＬＣＤ用出力端子と、
前記駆動回路において前記第１のＬＣＤ用出力端子が配置された辺とは異なる辺に配置された前記走査電圧を入力する第１の入力端子と、
該第１の入力端子の端部に設けられ、前記走査電圧を入力する第２の入力端子と、
異なる駆動回路に前記走査電圧を出力する第１の駆動回路用出力端子と、
該第１の駆動回路用出力端子の端部に設けられ、前記第２の入力端子と電気的に接続された第２の駆動回路用出力端子と、
前記第１のＬＣＤ用出力端子の端部に設けられ、前記ダミー配線に前記走査電圧を出力する第２のＬＣＤ用出力端子と、を備え、
前記第２の入力端子と前記第２のＬＣＤ用出力端子、及び第２の駆動回路用出力端子と第２のＬＣＤ用出力端子を電気的に接続することにより前記ダミー配線に前記走査電圧を供給する液晶表示装置。
【請求項３】
前記第１の入力端子に電気的に接続された第１の駆動回路用出力端子と、
前記第２の入力端子に電気的に接続された第２の駆動回路用出力端子を備え、
接続された各々の入力端子及び出力端子が駆動回路の中心に対してそれぞれ対称に設けられている請求項１又は２に記載の液晶表示装置。
【請求項４】
前記第１の入力端子が双方向バッファと接続し、前記走査信号が当該双方向バッファを介して前記第１の駆動回路用出力端子及び前記ゲート配線に前記ゲート走査電圧を出力する回路に供給される請求項１乃至３いずれか一つに記載の液晶表示装置。
【請求項５】
前記第２の入力端子が双方向バッファと接続し、前記走査信号が当該双方向バッファを介して前記第２の駆動回路用出力端子及び第２のＬＣＤ用出力端子に供給される請求項１乃至４いずれか一つに記載の液晶表示装置。
【請求項６】
請求項１乃至５いずれか一つに記載の液晶表示装置であって前記駆動回路が第２の基板上に設けられているＣＯＧ（Ｃｈｉｐ  Ｏｎ  Ｇｌａｓｓ）方式の液晶表示装置。
【請求項７】
請求項１乃至５いずれか一つに記載の液晶表示装置であって前記駆動回路がフィルム上に設けられているＣＯＦ（Ｃｈｉｐ  Ｏｎ  Ｆｉｌｍ）方式の液晶表示装置。
【請求項８】
液晶パネルに平行に配置された複数のゲート配線の各々にゲート走査電圧を供給する駆動回路であって、
前記ゲート走査電圧を生成するための走査信号を入力する複数の走査信号用入力端子と、
前記走査信号用入力端子に入力された信号に基づき前記ゲート走査電圧を生成する走査電圧生成手段と、
該走査電圧生成手段により生成されたゲート走査電圧をゲート配線に出力する走査電圧用出力端子と、
前記走査信号を異なる駆動回路に出力する駆動回路用出力端子と、
前記走査信号とは異なる信号を入力するダミースルー配線用入力端子と、
該ダミースルー配線用入力端子より入力された信号を伝達するダミースルー配線と、
該ダミースルー配線により伝達された信号を出力するダミー配線用出力端子を備え、
前記ダミー配線用出力端子を前記走査電圧用出力端子が列状に配置された辺と同一辺の端部に配置したことを特徴とする駆動回路。
【請求項９】
前記ダミー配線用出力端子が対向電極に電位を供給するトランスファー電極に接続されたことを特徴とする請求項８に記載の駆動回路。
【請求項１０】
前記ダミー配線用出力端子がゲートダミー配線に接続されたことを特徴とする請求項８又は９に記載の駆動回路。
【請求項１１】
液晶パネルに平行に配置された複数のソース配線の各々に駆動信号を供給する駆動回路であって、
前記駆動信号を生成するための信号を入力する複数の駆動信号用入力端子と、
前記駆動信号用入力端子に入力された信号に基づき駆動信号を生成する駆動信号生成手段と、
前記駆動信号生成手段により生成された駆動信号をソース配線に出力する駆動信号用出力端子と、
前記駆動信号を異なる駆動回路に出力する駆動回路用出力端子と、
前記駆動信号とは異なる信号を入力するダミースルー配線用入力端子と、
該ダミースルー配線用入力端子より入力された信号を伝達するダミースルー配線と、
該ダミースルー配線により伝達された信号を出力するダミー配線用出力端子を備え、
該ダミー配線用出力端子を前記駆動回路用出力端子が列状に配置された辺と同一辺の端部に配置したことを特徴とする駆動回路。
【請求項１２】
前記駆動信号用入力端子が双方向バッファに接続され、前記駆動信号が当該双方向バッファを介し前記駆動回路用出力端子及び前記ソース配線に前記駆動信号を出力する回路に供給される請求項１１記載の駆動回路。
【手続補正２】
【補正対象書類名】明細書
【補正対象項目名】００１８
【補正方法】変更
【補正の内容】
【００１８】
上述の液晶表示装置の構成部品点数を少なくするために、ＦＰＣに設けられている配線をガラス基板上に配置することも可能である。この液晶パネルの構成について図１０を用いて説明する。ここで図５、図７、図８、図９で付した符号と同一の符号は同じ構成を示すため説明を省略する。またＴＦＴアレイ基板内のＴＦＴの構成は図５と同一なので図示を省略する。１２は走査信号（ゲート信号ともいう）を供給する走査信号配線、１０はＶＤＤＧ、１１はＶＤＤＤ、１７はドライバＩＣ内部回路、３９はＬＣＤ用出力端子、４１はドライバＩＣ用入力端子、４３はドライバＩＣ用出力端子である。ここでは信号供給用の配線、端子等を詳細に説明するために拡大して図示している。
【手続補正３】
【補正対象書類名】明細書
【補正対象項目名】００２６
【補正方法】変更
【補正の内容】
【００２６】
本発明にかかる液晶表示装置は液晶層を狭持して対向する第１の基板（例えば、本実施の形態におけるカラーフィルタ基板３５）と第２の基板（例えば、本実施の形態におけるＴＦＴアレイ基板３８）のうち、前記第１の基板は透明性導電膜からなる対向電極（例えば、本実施の形態における対向電極１３）を備え、前記第２の基板は直交して設けられたゲート配線（例えば、本実施の形態におけるゲート配線１８）及びソース配線（例えば、本実施の形態におけるソース配線２０）と、前記ゲート配線及び前記ソース配線の交差点に設けられたスイッチング素子（例えば、本実施の形態におけるゲート第一ラインＴＦＴ２２、ゲート二ラインＴＦＴ２３）と、前記スイッチング素子に接続され、前記対向電極に対向する画素電極（例えば、本実施の形態におけるゲート第一ラインＴＦＴの画素電極２４、ゲート第二ラインＴＦＴの画素電極２５）と、前記対向電極と電気的に接続されたトランスファー電極（例えば、本実施の形態におけるトランスファー電極１４）を備える液晶表示装置であって、共通電圧（例えば、本実施の形態におけるＶＣＯＭ８）及び走査電圧（例えば、本実施の形態におけるＶＥＥＧ９、ＶＤＤＧ１０、ＶＤＤＤ１１）を生成する電圧生成手段（例えば、本実施の形態におけるＤＣ／ＤＣ部６）と、前記走査電圧と走査信号を入力して、ゲート走査電圧（例えば、本実施の形態におけるゲートドライバＩＣ２の出力）を前記ゲート配線に供給する複数の駆動回路（例えば、本実施の形態におけるゲートドライバＩＣ２、２ａ）をさらに備えている。そして、当該駆動回路の表示領域側の辺に各々のゲート配線に対応して列状に配置され、前記ゲート走査電圧を出力する第１のＬＣＤ用出力端子（例えば、本実施の形態におけるＬＣＤ用出力端子３９）と、前記駆動回路において前記第１のＬＣＤ用出力端子が配置された辺とは異なる辺に配置された前記走査電圧を入力する第１の入力端子（例えば、本実施の形態におけるドライバＩＣ用入力端子４１）と、該第１の入力端子の端部に設けられ、前記共通電圧を入力する第２の入力端子（例えば、本実施の形態におけるドライバＩＣ用ダミー入力端子４２ａ）と、異なる駆動回路に前記走査電圧を出力する第１の駆動回路用出力端子（例えば、本実施の形態におけるドライバＩＣ用出力端子４３）と、該第１の駆動回路用出力端子の端部に設けられ、前記第２の出力端子と電気的に接続された第２の駆動回路用出力端子（例えば、本実施の形態におけるドライバＩＣ用ダミー出力端子４２ｄ）と、前記第１のＬＣＤ用出力端子の端部に設けられ、前記トランスファー電極に前記共通電圧を出力する第２のＬＣＤ用出力端子（例えば、本実施の形態におけるＬＣＤ用ダミー出力端子４０ａ、４０ｄ）を備え、記第２の入力端子と前記第２のＬＣＤ用出力端子、及び前記第２の駆動回路用出力端子と前記第２のＬＣＤ用出力端子を電気的に接続することにより前記トランスファー電極に前記共通電圧を供給するものである。これによりトランスファー電極を増設してもガラス基板上の配線を単層構造にすることができる。
【手続補正４】
【補正対象書類名】明細書
【補正対象項目名】００２７
【補正方法】変更
【補正の内容】
【００２７】
本発明にかかる別の局面の液晶表示装置は、液晶層を狭持して対向する第１の基板（例えば、本実施の形態におけるカラーフィルタ基板３５）と第２の基板（例えば、本実施の形態におけるＴＦＴアレイ基板３８）のうち、前記第１の基板は透明性導電膜からなる対向電極（例えば、本実施の形態における対向電極１３）を備え、前記第２の基板は直交して設けられたゲート配線（例えば、本実施の形態におけるゲート配線１８）及びソース配線（例えば、本実施の形態におけるソース配線２０）と、前記ゲート配線及び前記ソース配線の交差点に設けられたスイッチング素子（例えば、本実施の形態におけるゲート第一ラインＴＦＴ２２、ゲート二ラインＴＦＴ２３）と、該スイッチング素子に接続され、前記対向電極に対向する画素電極（例えば、本実施の形態におけるゲート第一ラインＴＦＴの画素電極２４、ゲート第二ラインＴＦＴの画素電極２５）と、表示領域の周辺端部に配置されたダミー配線（例えば、本実施の形態におけるゲートダミー配線１９）を備える液晶表示装置であって、共通電圧（例えば、本実施の形態におけるＶＣＯＭ８）及び走査電圧（例えば、本実施の形態におけるＶＥＥＧ９、ＶＤＤＧ１０、ＶＤＤＤ１１）を生成する電圧生成手段（例えば、本実施の形態におけるＤＣ／ＤＣ部６）と、前記走査電圧と走査信号を入力して、ゲート走査電圧（例えば、本実施の形態におけるゲートドライバＩＣ２の出力）を前記ゲート配線に供給する複数の駆動回路（例えば、本実施の形態におけるゲートドライバＩＣ２、２ａ）をさらに備えている。そして、当該駆動回路の表示領域側の辺に各々のゲート配線に対応して列状に配置され、前記ゲート走査電圧を出力する第１のＬＣＤ用出力端子（例えば、本実施の形態におけるＬＣＤ用出力端子３９）と、前記駆動回路において前記第１のＬＣＤ用出力端子が配置された辺とは異なる辺に配置された前記第走査電圧を入力する第１の入力端子（例えば、本実施の形態におけるドライバＩＣ用入力端子４１）と、該第１の入力端子の端部に設けられ、前記走査電圧を入力する第２の入力端子（例えば、本実施の形態におけるドライバＩＣ用ダミー入力端子４２ｂ）と、異なる駆動回路に前記走査電圧を出力する第１の駆動回路用出力端子（例えば、本実施の形態におけるドライバＩＣ用出力端子４３）と、該第１の駆動回路用出力端子の端部に設けられ、前記第２の入力端子と電気的に接続された第２の駆動回路用出力端子（例えば、本実施の形態におけるドライバＩＣ用ダミー出力端子４２ｃ）と、前記第１のＬＣＤ用出力端子の端部に設けられ、前記ダミー配線に前記走査電圧を出力する第２のＬＣＤ用出力端子（例えば、本実施の形態におけるＬＣＤ用ダミー出力端子４０ｂ、４０ｃ）と、を備え、
前記第２の入力端子と前記第２のＬＣＤ用出力端子、及び第２の駆動回路用出力端子と第２のＬＣＤ用出力端子を電気的に接続することにより前記ダミー配線に前記走査電圧を供給するものである。これによりダミー配線が他の配線と交差することなく、ガラス基板上の駆動回路用配線を単層構造にすることができる。
【手続補正５】
【補正対象書類名】明細書
【補正対象項目名】００２８
【補正方法】変更
【補正の内容】
【００２８】
上述の液晶表示装置において、前記第１の入力端子に電気的に接続された第１の駆動回路用出力端子（例えば、本実施の形態におけるドライバＩＣ用出力端子４３）と、前記第２の入力端子に電気的に接続された第２の駆動回路用出力端子（例えば、本実施の形態におけるドライバＩＣ用ダミー出力端子４２ｃ、４２ｄ）を備え、接続された各々の入力端子及び出力端子が駆動回路の中心に対してそれぞれ対称に設けられていることが望ましい。これによりガラス上の液晶駆動用の配線を単層構造にすることができる。
【手続補正６】
【補正対象書類名】明細書
【補正対象項目名】００２９
【補正方法】変更
【補正の内容】
【００２９】
また上述の液晶表示装置において前記第１の入力端子が双方向バッファと接続し、前記走査信号が当該双方向バッファを介して前記第１の駆動回路用出力端子及び前記ゲート配線に前記ゲート走査電圧を出力する回路に供給されていてもよい。これにより配線長が長くなることによる表示特性の劣化を抑制することができる。
【手続補正７】
【補正対象書類名】明細書
【補正対象項目名】００３１
【補正方法】削除
【補正の内容】
【手続補正８】
【補正対象書類名】明細書
【補正対象項目名】００３４
【補正方法】変更
【補正の内容】
【００３４】
本発明にかかる駆動回路は、液晶パネルに平行に配置された複数のゲート配線（例えば、本実施の形態におけるゲート配線１８）の各々にゲート走査電圧（例えば、本実施の形態におけるゲートドライバＩＣ２の出力）を供給する駆動回路（例えば、本実施の形態におけるゲートドライバＩＣ２、２ａ）であって、前記ゲート走査電圧を生成するための走査信号を入力する複数の走査信号用入力端子（例えば、本実施の形態におけるドライバＩＣ用入力端子４１）と、前記走査信号用入力端子に入力された信号に基づき前記ゲート走査電圧を生成する走査電圧生成手段（例えば、本実施の形態におけるドライバＩＣ内部回路１７）と、該走査電圧生成手段により生成されたゲート走査電圧をゲート配線に出力する走査電圧用出力端子（例えば、本実施の形態におけるＬＣＤ用出力端子３９）と、前記走査信号を異なる駆動回路に出力する駆動回路用出力端子（例えば、本実施の形態におけるドライバＩＣ用出力端子４３）と、前記走査信号とは異なる信号を入力するダミースルー配線用入力端子（例えば、本実施の形態におけるドライバＩＣ用ダミー入力端子４２）と、
該ダミースルー配線用入力端子より入力された信号を伝達するダミースルー配線（例えば、本実施の形態における端子ダミー配線１５）と、該ダミースルー配線により伝達された信号を出力するダミー配線用出力端子（例えば、本実施の形態におけるＬＣＤ用ダミー出力端子４０）と、備え、該ダミー配線用出力端子を前記走査電圧用出力端子が列状に配置された辺と同一辺の端部に配置したことを特徴とするものである。これによりガラス基板上の配線を単層構造にすることができる。
【手続補正９】
【補正対象書類名】明細書
【補正対象項目名】００３５
【補正方法】変更
【補正の内容】
【００３５】
上述の駆動回路において、前記ダミー配線用出力端子は対向電極に電位を供給するトランスファー電極に接続されたことが望ましい。これにより、ガラス基板上の配線を単層構造にすることができる。
また、上述の駆動回路の別の局面において、前記ダミー配線用出力端子はゲートダミー配線に接続されたことが望ましい。これにより、ガラス基板上の配線を単層構造にすることができる。
【手続補正１０】
【補正対象書類名】明細書
【補正対象項目名】００３６
【補正方法】変更
【補正の内容】
【００３６】
本発明にかかる別の局面の駆動回路は液晶パネルに平行に配置された複数のソース配線（例えば、本実施の形態におけるソース配線２０）の各々に駆動信号（ソース信号）を供給する駆動回路（例えば、本実施の形態におけるソースドライバＩＣ３）であって、前記駆動信号を生成するための信号を入力する複数の駆動信号用入力端子と、前記駆動信号用入力端子に入力された信号に基づき駆動信号を生成する駆動信号生成手段と、前記駆動信号生成手段により生成された駆動信号を出力する駆動信号用出力端子と、前記駆動信号を異なる駆動回路に出力する駆動回路用出力端子と、前記駆動信号とは異なる信号を入力する独立のダミースルー配線用入力端子と、（例えば、本実施の形態におけるＶＥＥＧ９、ＶＤＤＧ１０、ＶＤＤＤ１１）該ダミースルー配線用入力端子より入力された信号を伝達するダミースルー配線と、該ダミースルー配線により伝達された出力するダミー配線用出力端子を備え、該ダミー配線用出力端子を前記駆動回路用出力端子が列状に配置された辺と同一辺の端部に配置したものである。これによりガラス基板上の配線を単層構造にすることができる。
【手続補正１１】
【補正対象書類名】明細書
【補正対象項目名】００３７
【補正方法】変更
【補正の内容】
【００３７】
さらに上述の駆動回路において、前記駆動信号用入力端子が双方向バッファに接続され、前記駆動信号が当該双方向バッファを介し前記駆動回路用出力端子及び前記ソース配線に前記駆動信号を出力する回路に供給されることが望ましい。これにより配線長が長くなることによる表示特性の劣化を抑制することができる。
【手続補正１２】
【補正対象書類名】明細書
【補正対象項目名】００３８
【補正方法】変更
【補正の内容】
【００３８】
【発明の実施の形態】
本発明の実施の形態１．
本発明にかかる液晶パネルの構造について図１、図２を用いて説明する。図１は液晶表示装置の概略を示す外観図である。図２は液晶パネルの構成を示す平面図であり、特にゲートドライバＩＣの配線、端子の周辺を拡大し詳細に図示している。ここで１は液晶パネル、２はゲートドライバＩＣ、３はソースドライバＩＣ、４はソースバス基板、５はタイミングコントローラ（以下、ＴＣＯＮと称す）、６はＤＣ／ＤＣ部、７はＴＣＰ（Ｔａｐｅ  Ｃａｒｒｉｅｒ  Ｐａｃｋａｇｅ）、８はＶＣＯＭ、９はＶＥＥＧ、１０はＶＤＤＧ、１１はＶＤＤＤ、１２は走査信号配線、１３は対向電極、１４はトランスファー電極、１５は端子ダミー配線、１６は双方向バッファ、１７はドライバＩＣ内部回路、１８はゲート配線、１９はゲートダミー配線、３９はＬＣＤ用出力端子、４０はＬＣＤ用ダミー出力端子、４１はドライバＩＣ用入力端子、４２ａ、４２ｂはドライバＩＣ用ダミー入力端子、ドライバ４３はドライバＩＣ用出力端子、４２ｃ、４２ｄはドライバＩＣ用ダミー出力端子である。数字の後ろのａ〜ｎは複数ある構成物（配線、端子等）の個々の構成物を示している。
【手続補正１３】
【補正対象書類名】明細書
【補正対象項目名】００４１
【補正方法】変更
【補正の内容】
【００４１】
さらにこのドライバＩＣ用入力端子４１とドライバＩＣ用出力端子４３は対称に設けらており、ゲートドライバＩＣ２ａ上でドライバＩＣ用入力端子４１とドライバＩＣ用出力端子４３がミラー状の配置となっている。すなわちドライバＩＣ用入力端子４１ａ及びドライバＩＣ用出力端子４３ａが外側に設けられており、ドライバＩＣ用入力端子４１及びドライバＩＣ用出力端子４３のアルファベットが外側から順に入出力端子ともｂ、ｃ、ｄの順になっている（図示せず）。そして、ドライバＩＣ用出力端子４３は隣接するゲートドライバＩＣ２のドライバＩＣ用入力端子４１と接続されている。また同様にドライバＩＣ用ダミー入力端子４２ｃ、４２ｄは隣接するゲートドライバＩＣ２のドライバＩＣ用ダミー入力端子４２ｅ、４２ｆと接続されている。さらにドライバＩＣ用入力端子４１とドライバＩＣ用出力端子４３で同一のアルファベットの入出力端子が双方向バッファ１６を介して接続される。このような構成を繰り返し、全ゲート配線１８に対応するようにＬＣＤ用出力端子３９を設ける。これにより、各配線を重ねることなく、各ゲート配線１８に走査信号を供給することができる。
【手続補正１４】
【補正対象書類名】明細書
【補正対象項目名】００４２
【補正方法】変更
【補正の内容】
【００４２】
本実施の形態１にかかる液晶表示装置の配線等の配置は図１１で示した従来のＣＯＧ方式の液晶表示装置と異なる点について図２を用いて説明する。ゲートドライバＩＣ２の表示領域と反対側にドライバＩＣ用ダミー入力端子４２ａ、４２ｂ及びドライバＩＣ用ダミー出力端子４２ｃ、４２ｄがドライバＩＣ用入力端子４１及びドライバＩＣ用出力端子４３の外側にそれぞれ２個ずつ設けられている。またドライバＩＣ２の表示領域側にＬＣＤ用ダミー出力端子４０がＬＣＤ用出力端子３９の両端に２個ずつ設けられている。ＶＣＯＭ８及びＶＥＥＧ９はゲートドライバＩＣ２上のドライバＩＣ用ダミー入力端子４２ａ、４２ｂに接続される。その同一のアルファベットのドライバＩＣ用ダミー入力端子４２ａ、４２ｂとＬＣＤ用ダミー出力端子４０ａ、４０ｂが同じアルファベットの端子ダミー配線１５ａ、１５ｂによりそれぞれ電気的に接続されている。その端子ダミー配線１５ａは途中で二つに分かれておりゲートドライバＩＣ２上に設けられている端子ダミー配線１５ｄと双方向バッファ１６を介して接続されている。そしてこの端子ダミー配線１５ｄはドライバＩＣ用ダミー出力端子４２ｄとＬＣＤ用ダミー出力端子４０ｄを電気的に接続している。同様に端子ダミー配線１５ｂは双方向バッファ１６を介して端子ダミー配線１５ｃと接続されている。そしてこの端子ダミー配線１５ｃはドライバＩＣ用ダミー出力端子４２ｃとＬＣＤ用ダミー出力端子４０ｃを接続している。
【手続補正１５】
【補正対象書類名】明細書
【補正対象項目名】００４３
【補正方法】変更
【補正の内容】
【００４３】
また端子ダミー配線１５ａ、１５ｄに対応するＬＣＤ用ダミー出力端子４０ａ、４０ｄからの配線はそれぞれトランスファー電極１４ａ、１４ｃに接続している。これによりＶＣＯＭ電圧がドライバＩＣ用ダミー入力端子４２ａ及びＬＣＤ用ダミー出力端子４０ａをスルーしトランスファー電極１４ａに供給される。端子ダミー配線１５ｂに対応するＬＣＤ用ダミー出力端子４０ｂはゲートダミー配線１９と接続されている。これによりＶＥＥＧ電圧がドライバＩＣ用ダミー入力端子４２ｂ及びＬＣＤ用ダミー出力端子４０ｂをスルーしゲートダミー配線１９に供給される。ＬＣＤ用ダミー出力端子４０及びドライバＩＣ用ダミー入力端子４２ａ、４２ｂをＬＣＤ用出力端子３９及びドライバＩＣ用入力端子４１の外側にそれぞれ２個ずつ設けることによりガラス基板上でそれぞれの配線が交差することなく、単層構造でＬＣＤ用駆動配線を製造することができる。これにより製造工程を簡略化することができ、製造コストを低減することができる。
【手続補正１６】
【補正対象書類名】明細書
【補正対象項目名】００４６
【補正方法】変更
【補正の内容】
【００４６】
本実施の形態２では配線、端子等の配置は図１に示した実施の形態１と同一である。しかし本実施の形態２ではゲートドライバＩＣ２がガラス基板上ではなくＦＰＣ上に設けられている点が図２で示した実施の形態１と異なる。従ってＦＰＣ上に配線、ドライバＩＣ用入力端子４１、ＬＣＤ用出力端子３９が設けられているＣＯＦ（Ｃｈｉｐ  Ｏｎ  Ｆｉｌｍ）方式となる。
【手続補正１７】
【補正対象書類名】明細書
【補正対象項目名】００４７
【補正方法】変更
【補正の内容】
【００４７】
実施の形態１と同様にドライバＩＣ用ダミー入力端子４２ａ、４２ｂ、ＬＣＤ用ダミー出力端子４０がそれぞれドライバＩＣ用入力端子４１、ＬＣＤ用出力端子３９の外側に２個ずつ設けられている。これによりＣＯＦ方式のガラス基板上でも配線が交差することなく、単層構造でＬＣＤ駆動用配線を製造することができる。
【手続補正１８】
【補正対象書類名】明細書
【補正対象項目名】００４８
【補正方法】変更
【補正の内容】
【００４８】
またドライバＩＣ用ダミー入力端子４２ａ、４２ｂとＬＣＤ用ダミー出力端子４０ｃ、４０ｄが双方向バッファを介して電気的に接続されている。これにより大画面化によって長くなった配線のインピーダンスの影響を低減することができ、表示特性の劣化や表示不良の発生を抑制することが可能となる。
【手続補正１９】
【補正対象書類名】明細書
【補正対象項目名】００５６
【補正方法】変更
【補正の内容】
【００５６】
【発明の効果】
本発明によれば、ガラス基板上の配線を単層構造にして、製造工程が簡略化された駆動回路及び液晶表示装置を提供することができる。さらに配線長が長くなることによる表示特性の劣化が抑制された駆動回路及び液晶表示装置を提供することができる。
【図面の簡単な説明】
【図１】
本発明にかかる液晶表示装置の液晶パネルの外観を示した平面図である。
【図２】
本発明の実施の形態１にかかる液晶パネルの構成を示す平面図である。
【図３】
本発明の実施の形態２にかかる液晶パネルの構成を示す平面図である。
【図４】
本発明のその他の実施の形態にかかる液晶パネルの構成を示す平面図である。
【図５】
液晶パネルの液晶パネルの構成を示す平面図である。
【図６】
液晶表示装置の動作を説明するタイミングチャートである。
【図７】
従来の液晶パネルのＴＦＴアレイ基板側の構成を示す平面図である。
【図８】
従来の液晶パネルのカラーフィルタ基板側の構成を示す平面図である。
【図９】
従来の液晶パネルの構成を示す断面図である。
【図１０】
従来の液晶パネルの構成を示す平面図である。
【図１１】
従来の液晶パネルの構成を示す平面図である。
【符号の説明】
１  液晶パネル
２  ゲートドライバＩＣ
３  ソースドライバＩＣ
４  ソースバス基板
５  タイミングコントローラ（ＴＣＯＮ）
６  ＤＣ／ＤＣ部
７  ＴＣＰ
８  ＶＣＯＭ
９  ＶＥＥＧ
１０  ＶＤＤＧ
１１  ＶＤＤＤ
１２  走査信号配線
１３  対向電極
１４  トランスファー電極
１５  端子ダミー配線
１６  双方向バッファ
１７  ドライバＩＣ内部回路
１８  ゲート配線
１９  ゲートダミー配線
２０  ソース配線
２１  ソースダミー配線
２２  ゲート第一ラインＴＦＴ
２３  ゲート第二ラインＴＦＴ
２４  ゲート第一ラインＴＦＴの画素電極
２５  ゲート第二ラインＴＦＴの画素電極
２６  液晶層
２７  共通電極
２８  ゲート電極
２９  ソース電極
３０  ドレイン電極
３１  保持容量
３２  ゲートバス基板
３３  ＦＰＣ  
３４  カラーフィルタ
３５  カラーフィルタ基板（ＣＦ基板）
３６  ガラス基板
３７  導体パターン
３８  ＴＦＴアレイ基板
３９  ＬＣＤ用出力端子
４０、４０ａ、４０ｂ、４０ｃ、４０ｄ  ＬＣＤ用ダミー出力端子
４１  ドライバＩＣ用入力端子
４２ａ、４２ｂ  ドライバＩＣ用ダミー入力端子
４２ｃ、４２ｄ  ドライバＩＣ用ダミー出力端子
４３  ドライバＩＣ用出力端子
【手続補正２０】
【補正対象書類名】図面
【補正対象項目名】図２
【補正方法】変更
【補正の内容】
【図２】
2004037956.tif 000001
【手続補正２１】
【補正対象書類名】図面
【補正対象項目名】図３
【補正方法】変更
【補正の内容】
【図３】
2004037956.tif 000002
【手続補正２２】
【補正対象書類名】図面
【補正対象項目名】図４
【補正方法】変更
【補正の内容】
【図４】
2004037956.tif 000003
【手続補正２３】
【補正対象書類名】図面
【補正対象項目名】図５
【補正方法】変更
【補正の内容】
【図５】
2004037956.tif 000004
【手続補正２４】
【補正対象書類名】図面
【補正対象項目名】図１０
【補正方法】変更
【補正の内容】
【図１０】
2004037956.tif 000005
【手続補正２５】
【補正対象書類名】図面
【補正対象項目名】図１１
【補正方法】変更
【補正の内容】
【図１１】
2004037956.tif 000006